【手続補正書】
【提出日】平成22年11月18日(2010.11.18)
【手続補正１】
【補正対象書類名】特許請求の範囲
【補正対象項目名】全文
【補正方法】変更
【補正の内容】
【特許請求の範囲】
【請求項１】
像担持体に形成された潜像を現像する現像ローラと、
周面に溝が形成され、前記現像ローラに液体現像剤を塗布する塗布ローラと、
前記潜像を現像した前記現像ローラをクリーニングする現像ローラクリーニングブレードと、
前記該塗布ローラの鉛直方向の下方に設けられ、前記塗布ローラに塗布される液体現像剤を供給する供給貯留部、前記現像ローラクリーニングブレードで回収した液体現像剤を貯留する回収貯留部、及び前記供給貯留部と前記回収貯留部とを隔てる仕切り部を有する現像剤容器と、
前記仕切り部は、前記塗布ローラの軸方向の中央部と前記軸方向の端部とで異なる鉛直方向の高さの領域が形成されて、前記軸方向の中央部の第１の高さは、前記軸方向の端部の第２の高さより高く形成されると共に、前記仕切り部の第１高さの前記軸方向の長さは、前記塗布ローラの溝が形成される前記軸方向の幅の長さ以上に構成することを特徴とする現像装置。
【請求項２】
前記塗布ローラの前記軸方向長さは、前記仕切り部の第１高さの前記軸方向の長さより長い請求項１に記載の現像装置。
【請求項３】
前記塗布ローラに当接し前記現像ローラに塗布する液体現像剤の量を規制する規制ブレードを有し、
前記規制ブレードの前記軸方向長さは、前記塗布ローラの前記軸方向の長さより長い請求項１又は請求項２に記載の現像装置。
【請求項４】
前記現像ローラの軸方向の長さは、前記塗布ローラの軸方向長さより短くするとともに、前記塗布ローラの溝が形成される領域の長さより長くする請求項１乃至請求項３のいずれか１項に記載の現像装置。
【請求項５】
前記現像ローラクリーニングブレードの前記軸方向の長さは、前記現像ローラの軸方向の長さより短くすると共に、前記塗布ローラの溝が形成される領域の長さより長くする請求項１乃至請求項４のいずれか１項に記載の現像装置。
【請求項６】
前記塗布ローラの鉛直方向の下面の高さは、前記仕切り部の前記第２の高さより高く、かつ前記前記仕切り部の前記第１の高さより低い請求項１乃至請求項５のいずれか１項に記載の現像装置。
【請求項７】
潜像が形成される像担持体と、
前記像担持体に形成された前記潜像を現像する現像ローラ、周面に溝が形成されて前記現像ローラに液体現像剤を塗布する塗布ローラ、前記潜像を現像した前記現像ローラをクリーニングする現像ローラクリーニングブレード、前記該塗布ローラの鉛直方向の下方に設けられ、前記塗布ローラに塗布される液体現像剤を供給する供給貯留部、前記現像ローラクリーニングブレードで回収した液体現像剤を貯留する回収貯留部、及び前記供給貯留部と前記回収貯留部とを隔てる仕切り部を有する現像部と、を有し、
前記仕切り部は、前記塗布ローラの軸方向の中央部と前記軸方向の端部とで異なる鉛直方向の高さの領域が形成されて、前記軸方向の中央部の第１の高さは、前記軸方向の端部の第２の高さより高く形成されると共に、前記仕切り部の第１高さの前記軸方向の長さは、前記塗布ローラの溝が形成される前記軸方向の幅の長さ以上に構成することを特徴とする画像形成装置。
【請求項８】
前記像担持体の前記軸方向長さは、前記現像ローラの軸方向長さより長い請求項７に記載の画像形成装置。
【手続補正２】
【補正対象書類名】明細書
【補正対象項目名】０００６
【補正方法】変更
【補正の内容】
【０００６】
本発明は上記課題を解決するためのもので、本発明に係る現像装置は、像担持体に形成された潜像を現像する現像ローラと、周面に溝が形成され、前記現像ローラに液体現像剤を塗布する塗布ローラと、前記潜像を現像した前記現像ローラをクリーニングする現像ローラクリーニングブレードと、前記該塗布ローラの鉛直方向の下方に設けられ、前記塗布ローラに塗布される液体現像剤を供給する供給貯留部、前記現像ローラクリーニングブレードで回収した液体現像剤を貯留する回収貯留部、及び前記供給貯留部と前記回収貯留部とを隔てる仕切り部を有する現像剤容器と、前記仕切り部は、前記塗布ローラの軸方向の中央部と前記軸方向の端部とで異なる鉛直方向の高さの領域が形成されて、前記軸方向の中央部の第１の高さは、前記軸方向の端部の第２の高さより高く形成されると共に、前記仕切り部の第１高さの前記軸方向の長さは、前記塗布ローラの溝が形成される前記軸方向の幅の長さ以上に構成することを特徴とする。
【手続補正３】
【補正対象書類名】明細書
【補正対象項目名】０００７
【補正方法】変更
【補正の内容】
【０００７】
また、本発明に係る現像装置は、前記塗布ローラの前記軸方向長さは、前記仕切り部の第１高さの前記軸方向の長さより長い。
【手続補正４】
【補正対象書類名】明細書
【補正対象項目名】０００８
【補正方法】変更
【補正の内容】
【０００８】
また、本発明に係る現像装置は、前記塗布ローラに当接し前記現像ローラに塗布する液体現像剤の量を規制する規制ブレードを有し、前記規制ブレードの前記軸方向長さは、前記塗布ローラの前記軸方向の長さより長い。
【手続補正５】
【補正対象書類名】明細書
【補正対象項目名】０００９
【補正方法】変更
【補正の内容】
【０００９】
また、本発明に係る現像装置は、前記現像ローラの軸方向の長さは、前記塗布ローラの軸方向長さより短くするとともに、前記塗布ローラの溝が形成される領域の長さより長くする。
【手続補正６】
【補正対象書類名】明細書
【補正対象項目名】００１０
【補正方法】変更
【補正の内容】
【００１０】
また、本発明に係る現像装置は、前記現像ローラクリーニングブレードの前記軸方向の長さは、前記現像ローラの軸方向の長さより短くすると共に、前記塗布ローラの溝が形成される領域の長さより長くする。
【手続補正７】
【補正対象書類名】明細書
【補正対象項目名】００１１
【補正方法】変更
【補正の内容】
【００１１】
また、本発明に係る現像装置は、前記塗布ローラの鉛直方向の下面の高さは、前記仕切り部の前記第２の高さより高く、かつ前記前記仕切り部の前記第１の高さより低い。
【手続補正８】
【補正対象書類名】明細書
【補正対象項目名】００１２
【補正方法】変更
【補正の内容】
【００１２】
また、本発明に係る画像形成装置は、潜像が形成される像担持体と、前記像担持体に形成された前記潜像を現像する現像ローラ、周面に溝が形成されて前記現像ローラに液体現像剤を塗布する塗布ローラ、前記潜像を現像した前記現像ローラをクリーニングする現像ローラクリーニングブレード、前記該塗布ローラの鉛直方向の下方に設けられ、前記塗布ローラに塗布される液体現像剤を供給する供給貯留部、前記現像ローラクリーニングブレードで回収した液体現像剤を貯留する回収貯留部、及び前記供給貯留部と前記回収貯留部とを隔てる仕切り部を有する現像部と、を有し、前記仕切り部は、前記塗布ローラの軸方向の中央部と前記軸方向の端部とで異なる鉛直方向の高さの領域が形成されて、前記軸方向の中央部の第１の高さは、前記軸方向の端部の第２の高さより高く形成されると共に、前記仕切り部の第１高さの前記軸方向の長さは、前記塗布ローラの溝が形成される前記軸方向の幅の長さ以上に構成することを特徴とする。
【手続補正９】
【補正対象書類名】明細書
【補正対象項目名】００１３
【補正方法】変更
【補正の内容】
【００１３】
また、本発明に係る画像形成装置は、前記像担持体の前記軸方向長さは、前記現像ローラの軸方向長さより長い。
また、本発明は上記課題を解決するためのもので、本発明に係る現像装置は、像担持体上に形成された静電潜像を現像する現像ローラと、該現像ローラに液体現像剤を塗布する塗布ローラと、該塗布ローラ下部に設けられる現像剤容器と、該現像剤容器に設けられ該塗布ローラに塗布される液体現像剤を供給する供給貯留部と、該現像剤容器の該供給貯留部と並列するように設けられる回収貯留部と、該供給貯留部と該回収貯留部とを隔てる仕切り部と、を有し、該仕切り部には、長手方向中央部と長手方向端部とで異なる高さの領域が形成されており、長手方向中央部の第１の高さ領域は、長手方向端部の第２の高さ領域より高くされると共に、第１高さ領域の長手方向長さは、該塗布ローラ外周囲の長手方向にわたって溝が形成される溝領域長さ以上に設定されることを特徴とする。
また、本発明に係る現像装置は、該塗布ローラの長手方向長さは、第１高さ領域の長手方向長さより長く設定されることを特徴とする。
また、本発明に係る現像装置は、該塗布ローラに当接し該現像ローラに塗布する液体現像剤量を規制する規制ブレードを有し、該規制ブレードの長手方向長さは、該塗布ローラの長手方向長さより長く設定されることを特徴とする。
また、本発明に係る現像装置は、該現像ローラの長手方向長さは、該塗布ローラの長手方向長さより短く設定されると共に、該塗布ローラ外周囲の溝が形成される溝領域長さより長く設定されることを特徴とする。
また、本発明に係る現像装置は、該現像ローラに当接し静電潜像の現像に用いられなかった液体現像剤をクリーニングする現像ローラクリーニングブレードを有し、該現像ローラクリーニングブレードの長手方向長さは、該現像ローラの長手方向長さより短く設定されると共に、該塗布ローラ外周囲の溝が形成される溝領域長さより長く設定されることを特徴とする。
また、本発明に係る現像装置は、該塗布ローラの最下面の高さは、第２の高さより高く、かつ第１の高さより低く設定されることを特徴とする。
また、本発明に係る画像形成装置は、像担持体上に形成された静電潜像を現像する現像ローラと、該像担持体上で現像された現像像を記録媒体に転写する手段と、該現像ローラに液体現像剤を塗布する塗布ローラと、該塗布ローラ下部に設けられる現像剤容器と、該現像剤容器に設けられ該塗布ローラに塗布される液体現像剤を供給する供給貯留部と、該現像剤容器の該供給貯留部と並列するように設けられる回収貯留部と、該供給貯留部と該回収貯留部とを隔てる仕切り部と、を有し、該仕切り部には、長手方向中央部と長手方向端部とで異なる高さの領域が形成されており、長手方向中央部の第１の高さ領域は、長手方向端部の第２の高さ領域より高くされると共に、第１高さ領域の長手方向長さは、該塗布ローラ外周囲の長手方向にわたって溝が形成される溝領域長さ以上に設定されることを特徴とする。
また、本発明に係る現像装置は、該像担持体の長手方向長さは、該現像ローラの長手方向長さより長く設定されることを特徴とする。